(57)【要約】【課題】接続管を外しても汚物タンクからの悪臭漏れを防止できるようにした自動排泄物処理装置を提供する。【解決手段】汚物タンク２の上部に戻しバネ２５を介して防臭手段２３としてのシャッタ部材２４を設け、汚物タンク２を移動枠２０から外した時に、シャッタ部材２４が閉じて汚物タンク２の管接続用の接続口２ｂ及び接続口２ｃを閉塞する。これにより、汚物タンク２からの悪臭の漏出を防ぐことができる。汚物タンク２から汚物を排出した後、この汚物タンク２を移動枠２０に落とし込むと、前記シャッタ部材２４はその下端の傾斜面２４ａが移動枠２０に接触し、戻しバネ２５に抗して上向きに回転しながらほぼ水平状態になって前記接続口２ｂ及び接続口２ｃを開放する。この時、汚物タンク２の上部の両側に設けられている張出片２ａが移動枠２０の上面に受止され、汚物タンク２は吊持状態で保持される。【選択図】図２
2007289638.tif 000002
【特許請求の範囲】
【請求項１】
股部に装着して排泄物を受ける排泄物受容手段と、この排泄物受容手段から吸引された
排泄物を収納する汚物タンクとが接続管によって接続された自動排泄物処理装置において
、前記汚物タンクと接続管との接続部に防臭手段を設けたことを特徴とする自動排泄物処
理装置。
【請求項２】
前記防臭手段は、前記汚物タンクに設けられたシャッタ部材から構成されていることを
特徴とする請求項１に記載の自動排泄物処理装置。
【請求項３】
前記シャッタ部材は、前記汚物タンクに設けられた管接続口に対して開閉自在に形成さ
れていることを特徴とする請求項２に記載の自動排泄物処理装置。
【請求項４】
前記シャッタ部材は、前記汚物タンクに戻しバネを介して取り付けられ、汚物タンクの
管接続口に前記接続管が接続している時は開いており、前記接続管が外された時に前記戻
しバネを介して自動的に閉じることを特徴とする請求項３に記載の自動排泄物処理装置。
【請求項５】
前記シャッタ部材は、前記汚物タンクに固定される支持部材と、この支持部材に枢支軸
を介して開閉自在に取り付けられる蓋板とを備え、前記支持部材の両端部における前記汚
物タンクに対向する面に凹部を設け、この凹部内に前記枢支軸を軸回転可能に嵌め込むと
共に、この枢支軸の一方の端部を支持部材の側方に突出させて前記蓋板の上部両側にそれ
ぞれ軸着し、前記枢支軸の他方の端部と前記凹部の端壁との間に戻しバネをそれぞれ取り
付けたことを特徴とする請求項４に記載の自動排泄物処理装置。
【請求項６】
前記シャッタ部材は、前記汚物タンクの管接続口を塞ぐ面にパッキンが取り付けられて
いることを特徴とする請求項２ないし請求項５のいずれかに記載の自動排泄物処理装置。
【発明の詳細な説明】
【技術分野】
【０００１】
本発明は、自力で歩けない状態でベッドに収容されている例えば病人や怪我人、或いは
寝たきり老人等が使用するのに好適な自動排泄物処理装置に関する。
【背景技術】
【０００２】
従来、この種の自動排泄物処理装置は種々の形態や方式のものが提案され、実用化され
てきている。自動排泄物処理装置の代表的な構成としては、股部に装着するおむつ本体又
は略Ｕ字形のパッド等からなる排泄物受容手段と、排泄物を収納する汚物タンクと、前記
排泄物受容手段と汚物タンクとを接続する接続管とを備えている。これに加えて、排泄物
吸引手段と、装着人の局部や尻部及び排泄物受容手段内を洗浄するための洗浄水を供給す
る洗浄水供給手段と、洗浄後に温風を供給する温風供給手段とが併設されているのが一般
的である。又、通常前記排泄物受容手段には排泄物を検出するためのセンサが設けられ、
このセンサと制御装置とが電気的に接続されている。
【０００３】
上記のような構成の自動排泄物処理装置においては、前記センサが排泄物を検出すると
、その検出信号が制御装置に入力され、この制御装置から排泄物吸引手段に信号が出力さ
れ、当該排泄物吸引手段が作動して排泄物を吸引する。そして、排泄物受容手段から吸引
された排泄物は、接続管を介して汚物タンクまで搬送されて収納される。
【０００４】
例えば、特許文献１には、ベッドの下方に排泄タンク（汚物タンク）が設けられ、この
排泄タンクはベッドの穴に取り付けた便器の排泄口にバルブを備えた接続管により接続さ
れ、接続管内に排泄物が溜まると、それをセンサが検出してバルブの電磁弁が一定時間（
例えば５秒間）開き、排泄物が洗浄温水と共に排泄タンクに落下するように構成した自動
排泄物処理装置が開示されている。この自動排泄物処理装置によると、排泄物が排泄タン
ク内に多量に溜まると、排泄タンクを接続管から外してトイレまで運び、排泄物を排出し
なければならない。この際、排泄タンクを接続管から外すと、排泄タンクの接続口が露出
するため悪臭が漏れ出ることになる。
【０００５】
特許文献２には、汚水タンク（汚物タンク）の接続口に吸引ホースの端部を接続するよ
うにした介護用クリーナーが開示されている。この介護用クリーナーによると、汚水タン
クが一杯になって汚物を排出する場合には、吸引ホースの端部を外さなければならない。
この際、汚物タンクの接続口は露出するため前記と同じく悪臭の漏出問題が発生すること
になる。
【特許文献１】特開平８−２８９９０６号公報
【特許文献２】特開２００２−３１５８０９号公報
【発明の開示】
【発明が解決しようとする課題】
【０００６】
本発明は、上記のような悪臭の漏出問題を解決するためになされ、接続管を外しても汚
物タンクからの悪臭漏れを防止できるようにした自動排泄物処理装置を提供することを目
的とする。
【課題を解決するための手段】
【０００７】
上記の目的を達成するための手段として、請求項１の発明は、股部に装着して排泄物を
受ける排泄物受容手段と、この排泄物受容手段から吸引された排泄物を収納する汚物タン
クとが接続管によって接続された自動排泄物処理装置において、前記汚物タンクと接続管
との接続部に防臭手段を設けたことを特徴とする。
【０００８】
請求項２の発明は、請求項１の自動排泄物処理装置において、前記防臭手段は、前記汚
物タンクに設けられたシャッタ部材から構成されていることを特徴とする。
【０００９】
請求項３の発明は、請求項２に記載の自動排泄物処理装置において、前記シャッタ部材
は、前記汚物タンクに設けられた管接続口に対して開閉自在に形成されていることを特徴
とする。
【００１０】
請求項４の発明は、請求項３の自動排泄物処理装置において、前記シャッタ部材は、前
記汚物タンクに戻しバネを介して取り付けられ、汚物タンクの管接続口に前記接続管が接
続している時は開いており、前記接続管が外された時に前記戻しバネを介して自動的に閉
じることを特徴とする。
【００１１】
請求項５の発明は、請求項４の自動排泄物処理装置において、前記シャッタ部材は、前
記汚物タンクに固定される支持部材と、この支持部材に枢支軸を介して開閉自在に取り付
けられる蓋板とを備え、前記支持部材の両端部における前記汚物タンクに対向する面に凹
部を設け、この凹部内に前記枢支軸を軸回転可能に嵌め込むと共に、この枢支軸の一方の
端部を支持部材の側方に突出させて前記蓋板の上部両側にそれぞれ軸着し、前記枢支軸の
他方の端部と前記凹部の端壁との間に戻しバネをそれぞれ取り付けたことを特徴とする。
【００１２】
請求項６の発明は、請求項２ないし請求項５のいずれかの自動排泄物処理装置において
、前記シャッタ部材は、前記汚物タンクの管接続口を塞ぐ面にパッキンが取り付けられて
いることを特徴とする。
【発明の効果】
【００１３】
上記請求項１の発明によれば、股部に装着して排泄物を受ける排泄物受容手段と、この
排泄物受容手段から吸引された排泄物を収納する汚物タンクとが接続管によって接続され
た自動排泄物処理装置において、前記汚物タンクと接続管との接続部に防臭手段を設けた
ので、接続管を外した時に汚物タンクから漏れ出る悪臭を抑えることができる。
【００１４】
請求項２の発明によれば、請求項１の自動排泄物処理装置において、前記防臭手段は、
前記汚物タンクに設けられたシャッタ部材から構成されているので、接続管を外した時に
汚物タンクの管接続口をシャッタ部材で閉塞することにより、悪臭の漏出を抑えることが
できる。
【００１５】
請求項３の発明によれば、請求項２の自動排泄物処理装置において、前記シャッタ部材
は、汚物タンクに設けられた管接続口に対して開閉自在に形成されているので、接続管を
接続する時はシャッタ部材を開くことにより容易に管接続でき、接続管を外した時はシャ
ッタ部材を閉じることにより汚物タンクからの悪臭の漏出を抑えることができる。
【００１６】
請求項４の発明によれば、請求項３の自動排泄物処理装置において、前記シャッタ部材
は、汚物タンクに戻しバネを介して取り付けられ、汚物タンクの管接続口に接続管が接続
している時は開いており、接続管が外された時に戻しバネを介して自動的に閉じる。これ
により、接続管を外した時に手作業によってシャッタ部材を閉じる必要がないことから極
めて衛生的である。
【００１７】
請求項５の発明によれば、請求項４の自動排泄物処理装置において、前記シャッタ部材
は、汚物タンクに固定される支持部材と、この支持部材に枢支軸を介して開閉自在に取り
付けられる蓋板とを備え、支持部材の両端部における汚物タンクに対向する面（内面側）
に凹部を設け、この凹部内に枢支軸を軸回転可能に嵌め込むと共に、この枢支軸の一方の
端部を支持部材の側方に突出させて前記蓋板の上部両側にそれぞれ軸着し、枢支軸の他方
の端部と凹部の端壁との間に戻しバネをそれぞれ取り付けたので、戻しバネは支持部材の
凹部内に収容されていて外部に露出していない。このため、汚物タンクを着脱する際又は
汚物タンクを持ち運びする際に、戻しバネが看護人の衣服等に接触することは無く、きわ
めて清潔であると共に持ち運びが安全にでき、かつ戻しバネに外力が加わって伸びたり外
れたりすることはない。
【００１８】
請求項６の発明よれば、請求項２ないし請求項５のいずれかの自動排泄物処理装置にお
いて、前記シャッタ部材は、前記汚物タンクの管接続口を塞ぐ面にパッキンが取り付けら
れているので、接続管を外した時に汚物タンクの管接続口を密閉することができる。これ
により、汚物タンクからの悪臭漏れをほぼ完全に防止することができる。
【発明を実施するための最良の形態】
【００１９】
次に、本発明に係る自動排泄物処理装置の一実施形態に付いて、添付図面を参照しなが
ら説明する。図１は、本発明に係る自動排泄物処理装置を示す概略構成図であり、１は排
泄物を受ける排泄物受容手段、２は排泄物を収納する汚物タンクであり、排泄物受容手段
１と汚物タンク２とは第１の接続管３と第２の接続管４とにより接続するように構成して
ある。
【００２０】
上記排泄物受容手段１は、例えば軟質合成樹脂等の軟質材で略Ｕ字形に形成されたパッ
ドから構成され、図示しないベッドに収容されている病人や怪我人、或いは寝たきり老人
等の股部分を前後に包囲して密着可能に装着できるようにしてある。この排泄物受容手段
１は、底部１ａの内側に排泄物受け面が設けられ、この排泄物受け面の要所に尿検出用の
センサと便検出用のセンサとが配設されており、排泄物受け面は前方に傾斜して形成され
て排出口５に連通している。
【００２１】
前記第１の接続管３は、排泄物受容手段１の排出口５に外嵌挿着する接続端部３ａを備
えると共に、前記第２の接続管４の端部に内嵌挿着する接続端部３ｂを備えている。この
第１の接続管３は、他の接続管例えば洗浄水供給管６、温風供給管７及び前記尿検出用の
センサと便検出用のセンサとにそれぞれ電気的に接続するための配線コード８と共に外管
９内に格納されている。温風供給管７は外管９に兼ねさせることが可能である。
【００２２】
前記外管９の一方の端部にはプラグ１０が設けられ、このプラグ１０の内側に前記第１
の接続管３の接続端部３ａ、洗浄水供給管６の接続端部６ａ、温風供給管７の接続端部７
ａ、配線コード８の接続端子８ａが間隔をあけてそれぞれ突出している。又、プラグ１０
に対応させて前記排泄物受容手段１の前面下方部にはコネクタ１２が設けられ、このコネ
クタ１２は第１の接続管３の接続端部３ａと接続する前記排出口５、洗浄水供給管６の接
続端部６ａと接続する送水口１４、温風供給管７の接続端部７ａと接続する送風口１５、
配線コード８の接続端子８ａと電気的に接続する端子受け１６がそれぞれ対応して突出し
ている。これにより、プラグ１０をコネクタ１２に嵌め合わせると上記各管の接続と配線
コード８の電気的接続とが同時に行えるようにしてある。これと同様に、外管９の他方の
端部にはプラグ１１が設けられ、このプラグ１１を駆動ユニット１７側のコネクタ１３に
嵌め合わせると各管の接続と配線コード８の電気的接続とが同時に行える。
【００２３】
この場合は、図示は省略するが前記駆動ユニット１７の内部に排泄物吸引手段と、洗浄
水供給手段と、温風供給手段と、制御装置とが配置されている。そして、駆動ユニット１
７の上部には前記第２の接続管４が水平に保持して固定され、この第２の接続管４の他方
の端部は前記汚物タンク２の接続口に挿入して接続されている。又、駆動ユニット１７の
上部には通気管１８が第２の接続管４と平行に位置して固定され、この通気管１８の一方
の端部は前記排泄物吸引手段に接続され、他方の端部は汚水タンク２の気液分離用セパレ
ータ（図略）に接続されている。
【００２４】
更に、駆動ユニット１７の上部の両側部には直線状のガイドレール１９が水平に対設さ
れ、このガイドレール１９に沿って図１で左右方向に移動する移動枠２０が摺動自在に嵌
合されている。そして、前記汚物タンク２は、上部に対設した張出片２ａを移動枠２０の
上面に係止することにより吊持状態で保持されている。２１はロックハンドルであり、両
側のレバーの先端部がそれぞれガイドレールの上面要所に取り付けられたブラケット２２
にピンで枢支され、このピンを軸として回動可能に形成されている。前記両側のレバーに
はそれぞれ略円弧状のロック片２１ａが設けられ、このロック片２１ａがそれぞれ移動枠
２０に形成された長孔２０ａ（図２）と、これに合致するようにしてガイドレール１９に
形成された長孔１９ａ（図２）とを貫通して嵌まり込んだ状態でロックされ、ロックハン
ドル２１を回動してロック片２１ａを双方の長孔から抜いた状態でロックが解除されるよ
うにしてある。
【００２５】
図２は、前記汚物タンク２と移動枠２０の外観を示す斜視図であり、前記駆動ユニット
１７に対向する面の上部に防臭手段２３が設けられている。防臭手段２３は例えばシャッ
タ部材２４から構成され、このシャッタ部材２４の上端の両側部はそれぞれピンを介して
汚物タンク２に枢支され、且つシャッタ部材２４と汚物タンク２の間に戻しバネ２５が設
けられている。これにより、シャッタ部材２４は閉じた状態であり、前記第２の接続管４
を接続する接続口２ｂと、前記通気管１８を接続する接続口２ｃとを閉塞している。
【００２６】
この汚物タンク２を前記移動枠２０に落とし込むと、前記のように両側の張出片２ａが
それぞれ移動枠２０の上面に受止されて吊持状態に保持される。この落とし込みの際に、
図３に仮想線で示すように前記シャッタ部材２４は移動枠２０に接触しながら、戻しバネ
２５を徐々に伸ばして上向きに回転し、ほぼ水平状態となって移動枠２０上に保持される
。これにより、シャッタ部材２４は開状態となって前記接続口２ｂ及び接続口２ｃを開放
する。シャッタ部材２４の下端部には傾斜面２４ａを形成してあり、移動枠２０との接触
時に当該傾斜面２４ａをガイドとしてシャッタ部材２４が回転し易いようにしてある。
【００２７】
この状態のまま、移動枠２０を前記ガイドレール１９に沿って移動すると、移動枠２０
と共に汚物タンク２が前記駆動ユニット１７に接近する。そして、前記ロックハンドル２
１を下向きに回転させてロック片２１ａを移動枠２０の長孔２０ａに係合させると共に、
ロックハンドル２１を更に回転させると移動枠２０を強く引き寄せる。これにより、図４
に示すようにロックハンドル２１はガイドレール１９の前記長孔１９ａにも完全に係合し
てロック状態となり、同時に汚物タンク２と第２の接続管４及び通気管１８との接続がな
される。尚、移動枠２０には、図２に示すように第２の接続管４及び通気管１８を通すた
めの通孔２０ｂが設けられている。図５は、第２の接続管４と汚物タンク２の接続口２ｂ
とが接続された状態を示す一部破断面図である。
【００２８】
このように構成された自動排泄物処理装置は、前記排泄部受容手段１における排泄物検
出センサが排泄物を検出すると、その検出信号が駆動ユニット１７の制御装置に入力され
、この制御装置から信号が出力されて洗浄水供給手段が作動し、洗浄水が洗浄水供給管６
を通って排泄物受容手段１に供給され、当該排泄物受容手段１を装着している装着人の局
部や尻部を洗浄する。一定時間経過後に洗浄水供給手段が停止し、制御装置から信号が出
力されて排泄物吸引手段が作動し、排泄物受容手段１内の排泄物を洗浄後の汚水と共に排
出口５から排出する。排出された汚物は、第１の接続管３を通って第２の接続管４内に流
入し、この第２の接続管４から汚物タンク２内に収納される。排泄物吸引手段の停止後に
、制御装置から信号が出力されて温風供給手段が作動し、温風が温風供給管７を通って排
泄物受容手段１に供給され、装着人の局部や尻部を乾かすと共に排泄物受容手段１内を乾
燥させる。この温風供給手段は一定時間作動した後停止する。
【００２９】
汚物タンク２内に多量の汚物が溜まったら、前記ロックハンドル２１を上向きに回転さ
せてロックを解除し、移動枠２０をガイドレール１９に沿って図１で右方向に移動させ、
汚物タンク２と前記第２の接続管４及び通気管１８との接続を離す。この後、汚物タンク
２の上面に設けられている把手２９（図１、図２）を起立させて手に持ち、汚物タンク２
を持ち上げて移動枠２０から外す。
【００３０】
汚物タンク２を持ち上げて前記シャッタ部材２４が移動枠２０から離れた時に、前記戻
しバネ２５の復元力によってシャッタ部材２４が下向きに回転して閉状態となり、前記接
続口２ｂ及び接続口２ｃを自動的に閉塞する。これにより、汚物タンク２から悪臭が漏れ
出るのを抑えることができる。図６は、シャッタ部材２４の閉状態を示す汚物タンクの側
面図である。
【００３１】
図７は、シャッタ部材の他の実施形態を示すもので、基本的な構成は前記シャッタ部材
２４と同じであるが、シャッタ部材２７の内側面（汚物タンク２の管接続口を塞ぐ面）に
パッキン２８を取り付けたことが構成上相違している。この場合、図８に示すようにシャ
ッタ部材２７が閉じると、汚物タンク２の管接続口がパッキン２８により密閉されるため
、悪臭の漏れ出しをほぼ完全に防止することができる。特に第２の接続管４を接続する接
続口２ｂの開口端の内周面にもリング状のパッキン２９を嵌着しておけば、シャッタ部材
２７のパッキン２８が接続口２ｂのパッキン２９に密着することにより密着性を更に向上
させることができる。又、接続口２ｂのパッキン２９は、図７のように第２の接続管４の
接続時においてその接続部分を密閉する機能を発揮する。更に、第２の接続管４を外す際
に、その端部の外周面を移動することで汚物を掻き取る機能も発揮する。
【００３２】
前記移動枠２０から外した汚物タンク２は、例えばトイレまで運んでキャップ３０を外
し汚物を排出する。この搬送中もシャッタ部材２４の閉状態は保持されているので周囲に
悪臭を放出することはない。尚、駆動ユニット１７側で露出した第１の接続管３の端部及
び通気管１８の端部にもそれぞれ別途用意した適宜キャップ（図示せず）を被せるように
するとよい。
【００３３】
図９は、前記キャップ３０を着脱する汚物排出口３１を示す断面図である。この汚物排
出口３１は、外周面にネジ部３１ａ（雄ネジ部）が設けられ、このネジ部３１ａは外周面
の上端からではなくほぼ中間部から下方に位置させて形成されている。これにより、汚物
排出口３１の外周面において、その上端からネジ部３１ａの始端までの高さｈの領域は無
ネジ部３１ｂとなっている。又、汚物排出口３１の内周面の上部には、上端に行くに連れ
て漸次縮径するテーパ面３１ｃが形成されている。
【００３４】
前記キャップ３０は、内周面にネジ溝部３０ａ（雌ネジ部）が設けられ、このネジ溝部
３０ａは内周面の下端からほぼ中間部に位置させて形成され、それより上部は無ネジ溝部
３０ｂとなっている。これにより、図１０に示すようにキャップ３０を上記汚物排出口３
１に螺着する際に、キャップ３０のネジ溝部３０ａは前記無ネジ部３１ｂにガイドされて
そのまま下降して前記高さｈ分だけ嵌まり込み、この後ネジ部３１ａに螺合することによ
りキャップ３０を汚物排出口３１に螺着することができる。汚物排出口３１のネジ部３１
ａが外周面の上端から始まっていると、キャップ３０を螺合する際に嵌め難いことがある
が、先ず高さｈ分だけ落とし込んでから螺合する構成を採用することで、嵌め合わせを容
易にしたのである。又、キャップ３０を外す時も、ネジ部３１ａの高さが低いために外し
易い利点がある。
【００３５】
前記汚物排出口３１の内周面の上部にはテーパ面３１ｃを形成してあるため、図１１に
示すように汚物排出口３１から汚物を排出する際に、テーパ面３１ｃが汚水切れの作用を
なす。これにより、汚物排出口３１からの汚水の滴下を抑えることができ、汚物排出直後
においてトイレの周囲に汚水の一部が滴下して悪臭が漂うのを防ぐことができる。
【００３６】
汚物タンク２は、図１に示すようにセパレータ（図略）が内蔵されている上部と、汚物
を収納する下部タンクとがパッチン錠３２によって着脱自在になっており、このパッチン
錠３２を外せば汚物排出後に下部タンク内を洗浄することが可能である。
【００３７】
汚物排出後に、前記と同様に汚物タンク２を移動枠２０に上から落とし込んで張出片２
ａを係止させることで移動枠２０に吊持状態で保持させることができる。この時、前記シ
ャッタ部材２４は移動枠２０により戻しバネ２５に抗して上向きに回転させられ、接続口
２ｂ及び接続口２ｃを露出させる。この状態を保持して汚物タンク２を移動枠２０と共に
図１で左方に移動すると、第２の接続管４の端部が接続口２ｂに挿入すると共に通気管１
８の端部が接続口２ｃに挿入することでそれぞれ接続する。そして、前記ロックハンドル
２１を回転させてロック片２１ａを、互いに合致している長孔（移動枠２０の長孔２０ａ
とガイドレール１９の長孔１９ａ）に差し込めば汚物タンク２を引き寄せた接続状態でロ
ックすることができる。
【００３８】
図１２は、シャッタ部材の更に他の実施形態を示すもので、（ａ）はシャッタ部材３２
が開いた状態での内面側から見た斜視図、（ｂ）はシャッタ部材３２が閉じた状態での内
面側から見た斜視図である。このシャッタ部材３２は、前記汚物タンク２に固定される支
持部材３３と、この支持部材３３に枢支軸３５を介して開閉自在に取り付けられる蓋板３
４とを備えている。
【００３９】
上記支持部材３３は細長い板状を呈しており、その両端部の下方に取付部３３ａが設け
られると共に、ねじ挿通用の孔３３ｂがそれぞれ設けられ、又図１３に示すように両端部
の内面（汚物タンク２に対向する面）には凹部３３ｃが設けられ、この凹部３３ｃに連通
する断面略半円状の通孔３３ｄがそれぞれ設けられ、凹部３３ｃの奥端面ににはバネ取付
孔３３ｅがそれぞれ設けられている。
【００４０】
支持部材３３の凹部３３ｃには前記枢支軸３５が軸回転可能に嵌め込まれ、この枢支軸
３５の縮径部３５ａは前記通孔３３ｄを介して支持部材３３の側面から突出させる。当該
縮径部３５ａの端部に、対向平面を有する断面非円形の係合部３５ｂが設けられており、
この係合部３５ｂを前記蓋板３４の上部両端に設けた取付部３４ａの係合孔３４ｂにそれ
ぞれ係合させる。この蓋板３４の係合孔３４ｂは、枢支軸３５の係合部３５ｂに対応させ
て設けたものであり、蓋体３４と枢支軸３５とが同時に回転するようにしてある。これに
より、支持部材３３に対して蓋板３４が枢支軸３５を介して開閉自在に取り付けられる。
【００４１】
更に、支持部材３３の両端部の凹部３３ｃ内に戻しバネ３６が挿入され、その一端は前
記枢支軸３５の縮径部３５ａと反対側の端部に形成されているバネ取付孔３５ｃに挿着さ
れ、他端は凹部３３ｃにおける前記バネ取付孔３３ｅに挿着される。この戻しバネ３６と
しては、捻じりコイルバネを使用することができ、この戻しバネ３６によって蓋板３４の
開閉動作が規制される。
【００４２】
このようにして一体化されたシャッタ部材３２は、図１４に示すように前記支持部材３
３における取付部３３ａのねじ挿通用の孔３３ｂを利用して、支持部材３３の両端部を前
記汚物タンク２にねじ３７でそれぞれ固定することにより取り付けることができる。これ
により、支持部材３３の内面は汚物タンク２の外面に密接して前記凹部３３ｃは外から見
えなくなり、戻しバネ３６も外から見えず外部に露出しない状態となる。又、蓋板３４は
前記汚物タンク２の接続口２ｂ及び２ｃを閉塞した閉状態であり、この閉状態は前記戻し
バネ３６により保持される。このシャッタ部材３２においても、図７に示すシャッタ部材
２４と同様に内面側（この場合は、蓋板３４の内面側）にパッキン（図略）を取り付けて
、汚物タンク２の接続口２ｂ及び２ｃを密閉することが好ましい。
【００４３】
このシャッタ部材３２の動作は前記シャッタ部材と同じであり、前記汚物タンク２を移
動枠２０に落とし込むと、前記のように両側の張出片２ａがそれぞれ移動枠２０の上面に
受止されて吊持状態に保持される。この落とし込みの際に、シャッタ部材３２の蓋板３４
は移動枠２０に接触しながら、戻しバネ３６を徐々に捻じりながら上向きに回転し、ほぼ
水平状態となって移動枠２０上に保持される。これにより、シャッタ部材３２は開状態と
なって前記接続口２ｂ及び接続口２ｃを開放する。蓋板３４の下端部には傾斜面３４ｃを
形成してあり、移動枠２０との接触時に当該傾斜面３４ｃをガイドとして蓋板３４が回転
し易いようにしてある。
【００４４】
この状態のまま、移動枠２０を前記ガイドレール１９に沿って移動すると、移動枠２０
と共に汚物タンク２が前記駆動ユニット１７に接近する。そして、前記ロックハンドル２
１を下向きに回転させてロック片２１ａを移動枠２０の長孔２０ａに係合させると共に、
ロックハンドル２１を更に回転させると移動枠２０を強く引き寄せる。これにより、ロッ
クハンドル２１はガイドレール１９の前記長孔１９ａにも完全に係合してロック状態とな
り、同時に汚物タンク２と第２の接続管４及び通気管１８との接続がなされる。
【００４５】
汚物タンク２内に多量の汚物が溜まったら、前記のようにロックハンドル２１を上向き
に回転させてロックを解除し、移動枠２０をガイドレール１９に沿って移動させ、汚物タ
ンク２と前記第２の接続管４及び通気管１８との接続を離す。この後、汚物タンク２の上
面に設けられている把手２９を起立させて手に持ち、汚物タンク２を持ち上げて移動枠２
０から外す。
【００４６】
汚物タンク２を持ち上げて前記シャッタ部材３２が移動枠２０から離れた時に、前記戻
しバネ３６の捻じり復元力によって蓋板３４が下向きに回転して閉状態となり、前記接続
口２ｂ及び接続口２ｃを自動的に閉塞する。これにより、汚物タンク２から悪臭が漏れ出
るのを抑えることができる。
【００４７】
戻しバネ３６は、前記支持部材３３の凹部３３ｃ内に収容されていて外部に露出してい
ない。このため、汚物タンク２を着脱する際又は汚物タンク２を持ち運びする際に、戻し
バネ３６が看護人の衣服等に接触することは無く、きわめて清潔であると共に持ち運びが
安全にでき、かつ戻しバネ３６に外力が加わって伸びたり外れたりするようなことはない
。
【産業上の利用可能性】
【００４８】
本発明は、自力で歩けずにベッドに収容されている病人や怪我人、或いは寝たきり老人
等が使用する自動排泄物処理装置に適用することができ、汚物タンクを外しても接続口が
防臭手段として設けたシャッタ部材により閉塞されるため悪臭の漏出を防ぐことができ、
良好な環境を保つことができる。
【図面の簡単な説明】
【００４９】
【図１】本発明に係る自動排泄物処理装置の一実施形態を示す概略全体構成図である。
【図２】本発明に係る自動排泄物処理装置の一実施形態における汚物タンクと移動枠とを示す概略斜視図である。
【図３】本発明に係る自動排泄物処理装置の一実施形態における汚物タンクと接続管との接続途中の状態を示す概略側面図である。
【図４】本発明に係る自動排泄物処理装置の一実施形態における汚物タンクと接続管との接続状態を示す概略側面図である。
【図５】本発明に係る自動排泄物処理装置の一実施形態における汚物タンクと接続管との接続状態を示す一部破断面図である。
【図６】本発明に係る自動排泄物処理装置の一実施形態における汚物タンクを移動枠から外した状態を示す概略側面図である。
【図７】シャッタ部材の他の実施形態を示す概略断面図である。
【図８】シャッタ部材の他の実施形態における閉状態を示す概略断面図である。
【図９】本発明に係る自動排泄物処理装置の一実施形態における汚物タンクの汚物排出口の概略断面図である。
【図１０】本発明に係る自動排泄物処理装置の一実施形態における汚物タンクの汚物排出口にキャップを螺着する状態を示す説明図である。
【図１１】本発明に係る自動排泄物処理装置の一実施形態における汚物タンクの汚物排出状態を示す説明図である。
【図１２】シャッタ部材の更に他の実施形態を示すもので、（ａ）はシャッタ部材が開いた状態での内面側から見た斜視図、（ｂ）はシャッタ部材３２が閉じた状態での内面側から見た斜視図である。
【図１３】図１２に示すシャッタ部材における回転機構部の概略分解斜視図である。
【図１４】図１２に示すシャッタ部材を汚物タンクに取り付けた状態を示す概略側面図である。
【符号の説明】
【００５０】
１  排泄物受容手段
２  汚物タンク
２ｂ、２ｃ  接続口
３  第１の接続管
４  第２の接続管
５  排出口
６  洗浄水供給管
７  温風供給管
８  配線コード
９  外管
１０、１１  プラグ
１２、１３  コネクタ
１４  送水口
１５  送風口
１６  端子受け
１７  駆動ユニット
１８  通気管
１９  ガイドレール
２０  移動枠
２１  ロックハンドル
２２  ブラケット
２３  防臭手段
２４  シャッタ部材
２５  戻しバネ
３２  シャッタ部材
３３  支持部材
３３ｃ  凹部
３４  蓋板
３５  枢支軸
３６  戻しバネ
３７  ねじ
【図１】
2007289638.tif 000003
【図２】
2007289638.tif 000004
【図３】
2007289638.tif 000005
【図４】
2007289638.tif 000006
【図５】
2007289638.tif 000007
【図６】
2007289638.tif 000008
【図７】
2007289638.tif 000009
【図８】
2007289638.tif 000010
【図９】
2007289638.tif 000011
【図１０】
2007289638.tif 000012
【図１１】
2007289638.tif 000013
【図１２】
2007289638.tif 000014
【図１３】
2007289638.tif 000015
【図１４】
2007289638.tif 000016